(57)【要約】【課題】カードに関して豊富な情報を表示することができ、且つ、設置スペースや生産コストの削減も図った課金装置を提供する。【解決手段】テレビ一体型課金装置１は、モニタ部５を備えたテレビ受像機２と、カードに書き込まれた情報を読み取り、当該カードに情報を書き込むカードリーダライタと、このカードリーダライタにて読み取られた情報に基づいてテレビ受像機２の利用を可能とするＣＰＵとを備え、このＣＰＵは、カードに関する情報をモニタ部５に表示する。テレビ受像機２、カードリーダライタ及びＣＰＵを一体に構成する。【選択図】図１
2007272313.tif 000002
【特許請求の範囲】
【請求項１】
モニタを備えたテレビ受像機と、カードに書き込まれた情報を読み取り、当該カードに情報を書き込むカードリーダライタと、該カードリーダライタにて読み取られた情報に基づいて前記テレビ受像機の利用を可能とする制御装置とを備え、
該制御装置は、前記カードに関する情報を前記モニタに表示することを特徴とする課金装置。
【請求項２】
前記テレビ受像機、カードリーダライタ及び制御装置を一体に構成したことを特徴とする請求項１に記載の課金装置。
【請求項３】
テレビ受像機と、カードに書き込まれた情報を読み取り、当該カードに情報を書き込むカードリーダライタと、該カードリーダライタにて読み取られた情報に基づいて前記テレビ受像機の利用を可能とする制御装置とを一体に構成したことを特徴とする課金装置。
【発明の詳細な説明】
【技術分野】
【０００１】
本発明は、プリペイドカード等のカード（カード媒体、有価媒体。）に書き込まれた情報に基づいてテレビの利用を可能とする課金装置に関するものである。
【背景技術】
【０００２】
近年、病院やホテル等の施設においては、テレビをコインの代わりに磁気カードやＩＣカード、その他の情報記録カードから成るプリペイド方式のカード（プリペイドカード）を用いて利用可能とするカードタイマと称される課金装置が普及しつつある（例えば、特許文献１参照）。
【０００３】
この場合、プリペイドカードを発行するカード発行装置では、利用者により投入された金額に基づいて金額情報（或いは度数情報）がカードに書き込まれて払い出される。そして、利用者が当該カードをテレビ受像機に接続されたカード課金装置に挿入すると、利用時間に従って予め設定された単位時間当たりの金額（或いは度数）が引き落とされてカードの情報が更新され、残額（残度数）が残っている間はテレビの視聴が可能となる。また、残額（残度数）が０となった場合には、カード発行装置にて追加入金することができるように構成されていた。
【０００４】
図６に従来より病院で行われているこの種カードタイマの設置例を示す。１０１はベッドの脇に置かれた床頭台であり、抽斗１０１Ａを備え、テレビ受像機１０２は係る床頭台１０１の上に据え付けられる。床頭台１０１にはカードタイマ（カード課金装置）１０３が組み込まれており、このカードタイマ１０３の前面にはカード挿入口１０４や返却スイッチ１０６、７セグメントＬＥＤの表示器１０７が設けられている。
【０００５】
カードタイマ１０３は商用電源とテレビ受像機１０２間に電気的に接続されており、カード挿入口１０４に挿入されたカードの残額（残度数）が残っている間、テレビ受像機１０２に電源が供給され、視聴が可能となるものであった。
【特許文献１】特開平９−３２６０６４号公報
【発明の開示】
【発明が解決しようとする課題】
【０００６】
このように従来のカードタイマ１０３では、単にテレビ受像機１０２の視聴を可能とするか不可とするかのみの機能であり、カードに関する情報については、残額やエラーを数字やアルファベットによる略字でカードタイマ１０３自体に設けられた表示器１０７に表示する以外に無かった。また、カードタイマ１０３をテレビ受像機１０２に並設しなければならなかったため、図６のように床頭台１０１のスペースを潰すか、或いは、テレビ受像機１０２の横や下に取り付けなければならず、スペース上の問題があると共に、生産コストの削減も困難となっていた。
【０００７】
本発明は、係る従来の技術的課題を解決するために成されたものであり、カードに関して豊富な情報を表示することができ、且つ、設置スペースや生産コストの削減も図った課金装置を提供するものである。
【課題を解決するための手段】
【０００８】
請求項１の発明の課金装置は、モニタを備えたテレビ受像機と、カードに書き込まれた情報を読み取り、当該カードに情報を書き込むカードリーダライタと、このカードリーダライタにて読み取られた情報に基づいてテレビ受像機の利用を可能とする制御装置とを備え、この制御装置は、カードに関する情報をモニタに表示することを特徴とする。
【０００９】
請求項２の発明の課金装置は、上記においてテレビ受像機、カードリーダライタ及び制御装置を一体に構成したことを特徴とする。
【００１０】
請求項３の発明の課金装置は、テレビ受像機と、カードに書き込まれた情報を読み取り、当該カードに情報を書き込むカードリーダライタと、このカードリーダライタにて読み取られた情報に基づいてテレビ受像機の利用を可能とする制御装置とが一体に構成されているものである。
【発明の効果】
【００１１】
請求項１の発明の課金装置は、モニタを備えたテレビ受像機と、カードに書き込まれた情報を読み取り、当該カードに情報を書き込むカードリーダライタと、このカードリーダライタにて読み取られた情報に基づいてテレビ受像機の利用を可能とする制御装置とを備え、この制御装置は、カードに関する情報をモニタに表示するようにしたので、テレビ受像機のモニタを利用して、カードの残額やエラーに加え、様々な情報を詳細に表示することができるようになる。これにより、課金装置の使用性・利便性の著しい向上を図ることができるようになる。
【００１２】
特に、テレビ受像機のモニタを利用することから、格別な表示用のディスプレイを追加する必要も無くなり、それによる生産コストの増加も回避することができるようになるものである。特に、請求項２の発明の如くテレビ受像機、カードリーダライタ及び制御装置を一体に構成すれば、電源回路などをテレビ受像機と共用することが可能となり、生産コストの著しい削減を図ることができるようになる。また、一体化により全体寸法の縮小も図られ、設置スペースを削減することが可能となるので、設置上の制約も少なくなるものである。
【００１３】
また、請求項３の発明の課金装置は、テレビ受像機と、カードに書き込まれた情報を読み取り、当該カードに情報を書き込むカードリーダライタと、このカードリーダライタにて読み取られた情報に基づいてテレビ受像機の利用を可能とする制御装置とが一体に構成されているので、電源回路などをテレビ受像機と共用することが可能となり、生産コストの著しい削減を図ることができるようになる。また、一体化により全体寸法の縮小も図られるので、設置スペースを削減することができるようになり、設置場所の制約も軽減されるものである。
【発明を実施するための最良の形態】
【００１４】
以下、図面に基づき本発明の実施形態を詳述する。図１は本発明を適用した実施例としてのテレビ一体型課金装置１の正面図、図２はテレビ一体型課金装置１の平面図、図３はテレビ一体型課金装置１の電気回路のブロック図である。実施例のテレビ一体型課金装置１は、外観及び寸法は一般的な液晶テレビ受像機であり、係るテレビ受像機２内に後述する課金装置の機能を構成するカードリーダライタ３やＣＰＵ（制御装置）４が一体化された構成とされている。
【００１５】
テレビ受像機２は液晶ディスプレイから成るモニタ部５を備えており、その他テレビ受像機能を構成する後述する各種電気部品から構成されている。このテレビ受像機２の上面にはカード挿入口６と返却スイッチ７及び７セグメントＬＥＤの表示器８が設けられている。
【００１６】
次に、図３においてテレビ一体型課金装置１はＣＰＵ（中央演算処理装置）４により全体が制御される。ＴＶチューナ回路１１にはアンテナ入力回路１２が接続され、ＴＶチューナ回路１１の出力がＣＰＵ４に入力されている。また、スピーカ１３は音声処理回路１４を介してＣＰＵ４に接続されている。前述したモニタ部５はビデオ処理回路１６を介してＣＰＵ４に接続されている。１７は赤外線リモコンのセンサーでありこれもＣＰＵ４に入力されている。
【００１７】
ＣＰＵ４にはこの他、外部入力回路（ビデオなどを接続）１８が接続されると共に、これらアンテナ入力回路１２や外部入力回路１８による一般放送の他、ＬＡＮによる接続も可能とするためにＬＡＮ回路１９も設けられている。尚、２１は電源回路であり、これらでテレビ受像機能を構成している。
【００１８】
そして、本発明のテレビ一体型課金装置１では係るテレビ受像機能の他、下記の課金装置としての機能もテレビ受像機２に一体化されている。即ち、カードリーダライタ３はカード挿入口６に挿入されたカードから情報を読み取り、或いは、書き込むもので、ＣＰＵ４に接続されている。また、返却スイッチ７は、それを押すことにより、カード挿入口６に挿入されたカードを取り出すもので、これもＣＰＵ４に接続されている。表示器８は、カード挿入時にカードの残度数／残時間を表示するものであり、ＣＰＵ４に接続され、これらでテレビ一体型課金装置１の課金装置としての機能を構成する。
【００１９】
ＣＰＵ４は前述したテレビ受像機能を奏する電気部品の他、これら課金装置としての機能を奏する電気部品も制御すると共に、電源回路２１も図３に示した全ての電気部品（テレビ受像機能の電気部品及び課金装置としての電気部品）に動作用の電源を供給する。尚、有価媒体として使用するカードとしては磁気カードやＩＣカード、その他の情報記録カードから成るプリペイド方式のカード（プリペイドカード）が使用される。
【００２０】
次に、図４及び図５を用いてテレビ一体型課金装置１の動作を説明する。利用者が上記カードをテレビ一体型課金装置１のカード挿入口６に挿入すると、ＣＰＵ４は図４のステップＳ１からステップＳ２に進み、カードリーダライタ３で当該カードに書き込まれた残額情報を読み込む。そして、ステップＳ３で当該カードに残額があるか否かを判断する。ここで残額が０となっている場合にはステップＳ１３で当該カードが正常なものか否か判断し、正常な場合にはステップＳ１４で表示器８に０を表示し、ステップＳ１６でカード挿入口６にカードを返却する。ステップＳ１３で正常でない場合にはステップＳ１５で表示器８にＥ（エラー）表示を行い、ステップＳ１６でカードを返却する。これにより、テレビ受像機２の主電源がＯＮされる以前でも表示器８で残額０やエラーを表示できる。
【００２１】
一方、当該カードに残額がある場合、ＣＰＵ４はステップＳ４に進んで上記テレビ受像機２の主電源をＯＮ状態としてステップＳ５で待機状態となる。赤外線リモコンによってテレビ受像機２が視聴状態となると、ＣＰＵ４はステップＳ５からステップＳ６に進み、モニタ部５にて図１に示すようにカード残額を「残額は＊＊円です。」などとメッセージで表示する。そして、ステップＳ７からステップＳ８に進み、有料放送か否か判断し、有料放送の場合には一度数カード残額を減算する。次に、ステップＳ９で一度数時間当たりの利用時間、即ち、減算時間が経過したか否か判断し、経過していなければステップＳ１２に進んで返却スイッチ７が押されたか否か判断して押されていなければステップＳ７に戻って繰り返す。そして、減算時間が経過したらステップＳ９からステップＳ１０に進み、カード残額を一度数減算し、ステップＳ１１に進む。ステップＳ１１ではカードの残額が０円か否か判断し、０円で無い場合にはステップＳ１２に進む。以後、これを繰り返してテレビ受像機２が視聴される。
【００２２】
尚、ＣＰＵ４はステップＳ１１において当該カードで視聴できる残り時間が１０分以下となった場合、モニタ部５に「残り時間が少なくなりましたので、カードを購入してください。」などのメッセージの表示を行う。これにより、利用者は残り視聴時間が少なくなっていることが明確に把握できる。
【００２３】
ステップＳ１２で返却スイッチ７が押された場合、或いは、ステップＳ１１でカードの残額が０円となった場合、ＣＰＵ４は図５のステップＳ１７に進んでカードリーダライタ３によりカードに残額を書き込み、ステップＳ１８で書き込みエラーがあったか否か判断し、無ければステップＳ１９に進んでテレビ受像機２の主電源をＯＦＦとし、カード挿入口６にカードを返却する。
【００２４】
ステップＳ１８で書き込みエラーが生じた場合、ＣＰＵ４はステップＳ２１に進んでテレビ受像機２が現在待機状態であるか否か判断し、待機状態である場合には表示器８にＥ（エラー）を表示してステップＳ１９に進む。これにより、モニタ部５に電源が入っていないテレビ受像機２の待機状態でもエラー表示ができる。一方、ステップＳ２１でテレビ受像機２が視聴状態である場合にはステップＳ２２に進み、モニタ部５に「カード書込み時エラーがありました。」のメッセージを表示する。これにより、利用者はカードの書き込みにエラーがあったことを明確に把握することができるようになる。
【００２５】
このように、本発明ではカードに関する情報をテレビ受像機２のモニタ部５に表示するようにしたので、実施例で示したカードの残額やエラーに加え、様々な情報を詳細に表示することができるようになる。これにより、使用性と利便性の著しい向上を図ることができるようになる。
【００２６】
特に、テレビ受像機２のモニタを利用することから、格別な表示用のディスプレイを追加する必要も無くなり、それによる生産コストの増加も回避することができるようになる。特に、テレビ受像機２、カードリーダライタ３及びＣＰＵ４を一体に構成してるので、電源回路２１やＣＰＵ４などをテレビ受像機２のテレビ受像機能と課金装置としての機能とで共用することが可能となり、生産コストの著しい削減を図ることができるようになる。また、一体化により全体寸法の縮小も図られ、設置スペースを削減することが可能となるので、特に狭い病室などでは設置上の制約も少なくなる。
【００２７】
尚、実施例では病院を例にとって説明したが、それに限らず、ホテルなどの宿泊施設に設置される場合にも本発明は有効である。
【図面の簡単な説明】
【００２８】
【図１】本発明のテレビ一体型課金装置の正面図である。
【図２】図１のテレビ一体型課金装置の平面図である。
【図３】図１のテレビ一体型課金装置の電気回路のブロック図である。
【図４】図１のテレビ一体型課金装置の動作を説明するフローチャートである。
【図５】同じく図１のテレビ一体型課金装置の動作を説明するフローチャートである。
【図６】従来のテレビ受像機と課金装置の設置例を示す図である。
【符号の説明】
【００２９】
１  テレビ一体型課金装置（課金装置）
２  テレビ受像機
３  カードリーダライタ
４  ＣＰＵ（制御装置）
５  モニタ部（モニタ）
６  カード挿入口
７  返却スイッチ
８  表示器
２１  電源回路
【図１】
2007272313.tif 000003
【図２】
2007272313.tif 000004
【図３】
2007272313.tif 000005
【図４】
2007272313.tif 000006
【図５】
2007272313.tif 000007
【図６】
2007272313.tif 000008